(57)【特許請求の範囲】
【請求項１】
絡みやすい塊片状物を一時的に貯めておく貯室を設け、同貯室の底面に所定厚さの回転体を回転自在に設け、貯室の内周面と底面及び回転体の外周面の間に形成される環状の収容空間を搬送通路とし、同搬送通路の底面となる貯室の底面の一部を開口して供給口を設け、搬送通路内に収容された塊片状物を送る移送板を回転体の外周下部に複数放射状に突設し、前記回転体を回動させる駆動部を設け、前記供給口の上方にカバーを設け、前記移送板によって塊片状物が送られてくる上流側の供給口前端より所定間隔下流側にカバー前端を位置させ、供給口前端とカバー前端の間の供給口の上方でかつ前記移送板の通過する軌跡の上方に搬送通路を横切る方向に伸びた円筒体を設け、同円筒体の外周に短い突起片を複数突設し、円筒体を円筒体上部が塊片状物の移送方向と反対側に向かうように回動させるようにし、搬送通路で送られてくる塊片状物を円筒体の回動で強制的に供給口へ落下させるようにした絡みやすい塊片状物用定量供給機。
【請求項２】
円筒体を突起片が接触しない程度にカバー前端に近接させた請求項１記載の絡みやすい塊片状物用定量供給機。
【請求項３】
円筒体の径が４０ｍｍ以上である請求項１又は２記載の絡みやすい塊片状物用定量供給機。
【発明の詳細な説明】
【０００１】
【発明の属する技術分野】
本発明は、粉砕した廃紙、廃プラスチック（以下廃プラと略す）などの絡みやすい塊片状物を供給口から供給する絡みやすい塊片状物用定量供給機に関する。
【０００２】
【従来の技術】
近年において、分別回収された廃紙・廃プラを一定サイズ以下に粉砕したものが、キルンやボイラーの熱源としてサーマルリサイクルされている。この場合には廃紙・廃プラの粉砕した物は長期的連続的に定量供給を行うことが必要であった。
しかし、従来の供給機を用いると、定量性を維持するためのスリキリ板に、廃紙・廃プラを粉砕したものは非常に絡まりやすいために絡みついた原料が排出を妨害し安定した定量供給ができず、また、供給機の羽根との間で噛み込みを起こし、供給機の動力部が過負荷状態になる場合もあった。
この対策として廃紙・廃プラの粉砕サイズを数ミリ程度になるように細かくする方法があるが、この粉砕には多大な動力を必要とし、リサイクルコストが高くなってしまっていた。また、細かく粉砕しても絡みやすい場合が多く対策として十分ではなかった。
【０００３】
【発明が解決しようとする課題】
本発明が解決しようとする課題は、従来のこれらの問題を解決し、安定した定量供給ができ、負荷トルクが安定し駆動部が過負荷状態にならないようにできる絡みやすい塊片状物用定量供給機を提供することにある。
【０００４】
【課題を解決するための手段】
かかる課題を解決した本発明の構成は、
１）  絡みやすい塊片状物を一時的に貯めておく貯室を設け、同貯室の底面に所定厚さの回転体を回転自在に設け、貯室の内周面と底面及び回転体の外周面の間に形成される環状の収容空間を搬送通路とし、同搬送通路の底面となる貯室の底面の一部を開口して供給口を設け、搬送通路内に収容された塊片状物を送る移送板を回転体の外周下部に複数放射状に突設し、前記回転体を回動させる駆動部を設け、前記供給口の上方にカバーを設け、前記移送板によって塊片状物が送られてくる上流側の供給口前端より所定間隔下流側にカバー前端を位置させ、供給口前端とカバー前端の間の供給口の上方でかつ前記移送板の通過する軌跡の上方に搬送通路を横切る方向に伸びた円筒体を設け、同円筒体の外周に短い突起片を複数突設し、円筒体を円筒体上部が塊片状物の移送方向と反対側に向かうように回動させるようにし、搬送通路で送られてくる塊片状物を円筒体の回動で強制的に供給口へ落下させるようにした絡みやすい塊片状物用定量供給機
２）  円筒体を突起片が接触しない程度にカバー前端に近接させた前記１）記載の絡みやすい塊片状物用定量供給機
３）  円筒体の径が４０ｍｍ以上である前記１）又は２）記載の絡みやすい塊片状物用定量供給機
にある。
【０００５】
【作用】
本発明では、駆動部の駆動で回転する回転体の外周に突設した移送板で、貯室に貯めた塊片状物を環状の搬送通路で送って、塊片状物を連続して供給口に落とすようにして供給する。供給口前端とカバー前端の間の供給口上方で移送板の軌跡の上方には外周に突起片を設けた円筒体を設けているので円筒体の回転によって塊片状物を強制的に掻き込むようにして連続的に供給口に落とす。
円筒体の突起片が接触しない程度にカバー前端に近接させたものは、円筒体とカバー前端の間から供給口に塊片状物が落下して定量性を悪くすることを防ぎ、円筒体や円筒体の突起片に塊片状物が絡みついた場合にも塊片状物がカバー前端に接触して落下するようにする。
円筒体の径が４０ｍｍ以上であるものは、塊片状物より円筒体外周が大きくなるようにして円筒体に塊片状物が絡まないようにする。
【０００６】
【発明の実施の形態】
円筒体の駆動部は回転体の駆動部と別に設けるようにして、塊片状物によって回転体の負荷が大きくなった場合に、円筒体がその影響を受けないようにするのが好ましいが、同じ駆動部としてもよい。
円筒体の回転速度は調整できるものが好ましく、塊片状物の材質、絡まりやすさなどに対応できるものが好ましい。
本明細書中における定量及び定量供給は、粉体供給機などの一般的な定量供給のように精度の高いものでなく、供給されたボイラー等への支障のない程度であるものとする。
塊片状物には再利用等の処理のために粉砕した廃紙、廃プラ、工場用の雑芥などがあり、絡みやすい材質のものであればどのようなものでもよい。
【０００７】
【実施例】
本発明の実施例について、図面を参照して具体的に説明する。
図１〜４に示す実施例は、円筒体を突起片が接触しない程度にカバー前端に近接させ、円筒体の径が４３ｍｍである絡みやすい塊片状物用定量供給機の例である。
図１〜４は実施例の絡みやすい塊片状物用定量供給機の説明図である。
図中、１は塊片状物用定量供給機、１ａは搬送通路、２は貯室、２ａは底面、３は回転体、４は回転軸、５は減速機、６はモーター、７は移送板、８はカバー、８ａはカバー前端、１０は円筒体、１０ａは回転軸、１０ｂは突起片、１０ｃは減速機、１０ｄはモーター、１１は供給口、１１ａは供給口前端、２０は塊片状物である。
【０００８】
本実施例の塊片状物用定量供給機１は図１〜３に示すように廃紙や廃プラの破砕物である４０ｍｍ〜５０ｍｍ程度の塊片状物２０を一時的に収容する貯室２をまず設ける。貯室２は、上端を開口した円筒状で下端は底面２ａで塞ぐようにする。
この底面２ａの中心部には、下方から内部に回転軸４を貫通させ、底面２ａと所定のスキマを設け、貯室２の内部となるこの回転軸４に横に広い円柱形状の回転体３を取り付ける。回転軸４の下部は貯室２の外部で減速機５を介してモーター６に接続して回転軸４と回転体３をモーター６の駆動で回転させるようにする。この回転体３の外周の下部には、所定の円周方向の間隔となるよう複数の移送板７を放射状に突出するよう取り付ける。貯室２の内周と底面２ａ及び回転体３で形成される収容空間を搬送通路１ａとし、移送板７が搬送通路１ａの下部を回転移動するようにする。
貯室の底面２ａ及び底面２ａに近い下部の外周部の一部には、外側にはり出した部分を設け、そのはり出した部分及び円盤状の一部を開口させて底面２ａに下方の外部を連通した供給口１１を設ける。供給口１１の上方には、供給口１１を覆う形状のカバー８を設ける。搬送通路１ａを移送板７によって塊片状物２０が供給口１１に向かって送られてくる上流側の供給口前端１１ａと上流側のカバー前端８ａは、供給口前端１１ａから所定距離下流にカバー前端８ａを位置させ、カバー８が上方を覆わない供給口１１部分を設けるようにする。
【０００９】
供給口前端１１ａとカバー前端８ａの間の供給口１１の上方であって、カバー前端８ａに近く、回転する移送板７と接触しない上方には直径が４３ｍｍの円筒体１０を貯室２の側方下部の外側から搬送通路１ａを横切るように配置させる。円筒体上端はカバー８より低い高さ位置となるようにする。円筒体１０には回転軸１０ａを同軸になるよう取り付け、回転軸１０ａが貯室２の外側に突出して減速機１０ｃを介してモーター１０ｄに接続し、モーター１０ｄの駆動で回転軸１０ａが回転できるようにする。円筒体１０の外周には短い突起片１０ｂを放射状に突出するよう複数設ける。また突起片１０ｂはカバー８に接触しない寸法にしている。
【００１０】
本実施例の塊片状物用定量供給機１によって廃紙、廃プラの塊片状物をボイラーに供給するには、廃紙、廃プラの塊片状物２０を貯室２に貯めるようにし、モーター６を駆動させて回転軸４を介して回転体３を回転させ、回転体３の外周に設けた移送板７によって、塊片状物２０を移送板７の軌跡に沿って移送する。
この塊片状物２０を搬送通路１ａで送る際には、モーター１０ｄを駆動させて回転軸１０ａ並びに円筒体１０を回転させる。円筒体１０は、塊片状物２０が供給口１１に向かって送られる方向に対して上部が逆向きの方向に向かって移動するよう回転させる。よって、円筒体１０の外周に設けた突起片１０ｂと円筒体１０によって、下方に向かって送られてきた塊片状物２０を掻き込むようにする。円筒体１０を突起片１０ｂが接触しない程度にカバー前端８ａに近接させているので、円筒体１０とカバー前端８ａの間から塊片状物２０が供給口１１に落下することなく、また、円筒体１０の突起片１０ｂに塊片状物２０が付着した場合に、塊片状物２０がカバー前端８ａ付近に接触して落下させて、円筒体１０が安定して塊片状物２０を掻き込むようにしている。円筒体１０の位置は一定のため、移送板７によって搬送通路１ａを送られてくる塊片状物２０を円筒体１０の高さで上下に分けることとなり、下方に掻き込んだ塊片状物２０は供給口１１から重さで下方に落下して供給される。上方に分けられた塊片状物２０はカバー８の上部に位置することとなり、貯室内で収容されたままの状態となる。このように強制的に供給口１１に塊片状物２０を掻き込むことによって、ほぼ一定の量の塊片状物を連続して供給することができる。よって塊片状物が絡まって、大きくなり、大きな塊状になって供給口１１を塞いだり、回転体３や移送板７の回転の抵抗となったり、大きな塊状になって供給されてしまうようなことがない。また、円筒体１０は直径を４３ｍｍとし、短い突起片１０ｂにすることで、円筒体１０に塊片状物２０が巻きつきにくく、絡みにくくして、良好な状態を保ち安定した定量供給ができるようにしている。
【００１１】
【発明の効果】
本発明によれば、安定して定量供給ができ、負荷トルクが安定し駆動部が過負荷状態にならない絡みやすい塊片状物用定量供給機にできる。
円筒体を突起片が接触しない程度にカバー前端に近接させたものは、円筒体が安定して塊片状物を掻き込むようにできる。
円筒体の径が４０ｍｍ以上であるものは、円筒体を良好な状態に保ち安定した定量供給ができるようにしている。
【図面の簡単な説明】
【図１】実施例の絡みやすい塊片状物用定量供給機の説明図である。
【図２】実施例の絡みやすい塊片状物用定量供給機の説明図である。
【図３】実施例の絡みやすい塊片状物用定量供給機の説明図である。
【図４】実施例の絡みやすい塊片状物用定量供給機の説明図である。
【符号の説明】
１  塊片状物用定量供給機
１ａ  搬送通路
２  貯室
２ａ  底面
３  回転体
４  回転軸
５  減速機
６  モーター
７  移送板
８  カバー
８ａ  カバー前端
１０  円筒体
１０ａ  回転軸
１０ｂ  突起片
１０ｃ  減速機
１０ｄ  モーター
１１  供給口
１１ａ  供給口前端
２０  塊片状物
【図１】
0004105868.tif 000002
【図２】
0004105868.tif 000003
【図３】
0004105868.tif 000004
【図４】
0004105868.tif 000005